(57)【要約】      （修正有）【課題】仰臥姿勢時に主に後頭部、補助的に側頭部を安定的に保持し、頚椎及び頚椎周辺の筋肉の負担を最小にするように使用者自身で調整できる枕を提供する。【解決手段】上辺を開けてファスナー２５で開閉する充填口とした４角形の袋の中央部分にＵ字形の縫込み２ｘを入れ、２つのポケットを作りＵ字の外側ポケット２１にはＵ字の内側ポケット２２より高くなるように充填材を詰め、Ｕ字の内側ポケットにはＵ字の外側ポケットより低くなるようにしたことを特徴とし、また、４角形の袋の中央部分に縦に２本の縫込みを入れ３つのポケットを作り、両側２つのポケットには補助的に後頭部側面を支えるように充填材を詰め、中央部には両側ポケットより低くなるようした頭部載置用袋と、別途作成した側面にてファスナーで開閉する充填口を設け、充填材を詰めた頚椎載置用袋とを上下に結合したことを特徴とする。【選択図】図２
0003196292.tif 000002
【実用新案登録請求の範囲】
【請求項１】
上辺を開けてファスナーその他で開閉する充填口とした４角形の袋の中央部分にＵ字形の縫込みを入れ、２つのポッケトを作りＵ字の外側ポケットにはＵ字の内側ポケットより高くなるように充填材を詰め、Ｕ字の内側ポケットにはＵ字の外側ポケットより低くなるようにした枕。
【請求項２】
上辺を開けてファスナーその他で開閉する充填口とした４角形の袋の中央部分に縦に２本の縫込みを入れ３つのポケットを作り、両側２つのポケットには補助的に後頭部側面を支えるように充填材を詰め、中央部には両側ポケットより低くなるようした頭部載置用袋と、別途作成した側面にてファスナーその他で開閉する充填口を設け、充填材を詰めた頚椎載置用袋とを上下に結合した枕。
【考案の詳細な説明】
【技術分野】
【０００１】  本考案は、睡眠時の仰臥姿勢に於いて頭部及び頚椎部を載置する枕に関するものである。
【背景技術】
【０００２】  枕の改良、変化は概略次の如くなる。そば殻、木材粒、綿、化繊綿、樹脂チップ、空気、特許文献１の如く液体等の充填材の改良、特許文献２の如く１体成型低反発発泡樹脂により仰臥姿勢と横臥姿勢向けに頭部又は頚椎部を載置する箇所の高さ及び形状の変化、特許文献３の如く枕全体の内部を数部屋に分けそれぞれに応じた充填材の利用、仰臥時と横臥時との傾斜を少なくした寝返りへの配慮等である。【０００３】  仰臥姿勢では、壁に背中をつけて直立した場合の壁から後頭部までの距離が枕の後頭部載置位置の高さの基準と言われていて、正常な頚椎を持つ人は先の直立姿勢では後頭部が壁につくと言われている。【０００４】  市販の枕には後頭部の高さがゼロのものが見当たらない。正常な頚椎の人が少ない、背中が丸い人や背中に肉がつき過ぎている人が多い、直立した場合の説がおかしい、市販の枕はそこまで考慮していない等考えられるが、仰臥姿勢用に正常な頚椎を持つ人にとっては後頭部が背中と同じ高さの枕が好ましい。【０００５】  ホテルの例の如く大きな枕は安心感があると言う説があり、１体形枕は頭頂部まで接する形になっており、仰臥姿勢では通気性も考慮して後頭部周辺で頭部の重力を支えればよいので頭頂部分は無用と考える。【０００６】  仰臥姿勢では頚椎第１番から第７番までの湾曲を妨げないように胸椎第１番の高さと後頭部の高さを勘案して、後頭部周辺を適切な高さで支えることと頚椎に余計な負荷を掛けないことが枕の要件である。
【先行技術文献】
【特許文献】
【０００７】
【特許文献１】特許公開２００４−２４９０８８号公報
【特許文献２】登録実用新案３１７３９００号公報
【特許文献３】特許公開２００７−８２５９０号公報
【考案の開示】
【考案が解決しようとする課題】
【０００８】  正常な湾曲した頚椎を持つ人のために頚椎への負担を最小にする仰臥姿勢専用の枕。
【課題を解決するための手段】
【０００９】  本考案では、枕に於いて流動性とは載置する体の部分の重さにより凹んだ充填材が周辺に移動し重力が無くなっても復元し難い性質とし、弾力性とは載置する体の部分の重さで凹み重力が無くなると復元する性質として考察する。【００１０】  枕のどの部分で身体のどの部分を支えるかで、充填材の持つ流動性と弾力性を主要素として充填材が決まり、充填材の充填量で流動性と弾力性を変えることが出来る。【００１１】  主に充填材として、流動性は少なく弾力性に富む化学繊維綿か、流動性と弾力性のやや少ない多孔質又はパイプ状の樹脂粒状体のいずれかを選び、充填量を変えて充填することで軟らかさと流動性の調整をする。【００１２】  仰臥姿勢に於いて枕は殆んどの頭部の重力を受ける後頭部とその周辺を支える部分と、殆んど何所の重力も受けない頚椎及び頚椎周辺を支える部分からなるが、背中で肩甲骨周辺の重力を受けて頚椎の第７番を支えている。【００１３】  仰臥姿勢時では寝具面から後頭部及び頚椎第１番及び頚椎第７番の高さ及び頚椎の湾曲具合に基づいて、後頭部及び頚椎第３・４・５番を受ける枕の箇所の標準的な高さを決める。【００１４】  仰臥姿勢用枕は形やサイズや充填材や充填量を基準的に数種設定し作成する。【００１５】  使用者の好みに合わせる為又は姿勢や頚椎の矯正に充填材の変更及び充填量の変更する調整の為に、充填材の出し入れしやすい形状にする。【００１６】  後頭部を載置する場合、側面でも重力を受け負荷を分散させるためと寝返り動作をしやすくするために側面を高くして流動性の少ない充填材を詰めた袋を設ける。
【考案の効果】
【００１７】  使用者の使用感、体型の変化、頚椎治療中の形状の変化等に追従して使用者が大幅な形及びサイズを除いて手直し可能である。【００１８】  消臭剤、芳香剤、ハーブ香料等を使用できる。【００１９】  頭部載置部分に主に使用するポリエステルパイプチップは通気性に富むこと、洗濯可能であること。【００２０】  充填材と充填量の変更可能なので、使用者の私だけの（Ｍｙ  ｏｗｎ）枕に近いものになる。
【図面の簡単な説明】
【００２１】
【図１】図１は充填後の凹形の仰臥姿勢用枕の斜視図及びａ−ａ、ｂ−ｂ、ｃ−ｃ、ｄ−ｄの断面図。
【図２】図２は充填後のＵ字形の仰臥姿勢用枕の斜視図及びｅ−ｅ、ｆ−ｆ、ｇ−ｇ、ｈ−ｈの断面図。
【図３】図３４中央に仰臥姿勢用の本考案の凹字形を設置し左右になんらかの横臥用枕を２つ配置して１セットとした枕全体の斜視図。
【符号の簡単な説明】
【００２２】１０は凹形枕、
２０はＵ字形枕。
１１、２１は充填又は挿入後の比較的厚い筒形のポケット。
１２、２２は後頭部を載置する比較的薄いポケット。
１３、は頚椎部を載置する別途に作成された袋。
１５、２５は充填口に取り付けたファスナー。
１ｘ、１ｙ、２ｘは縫込み線
ａ、ｂ、ｃ、ｄ、ｅ、ｆ、ｇ、ｈは断面図の位置を示す。
【考案を実施するための最良の形態】
【００２３】  寝具は体型に合わせた凹凸は無く略平面であることを前提とし、頭部を載置する大きさの上部即ち頭頂側にファスナーをつけ開口部を設けた布袋を用意し、開口部を上にして横方向を略３等分し、両側のポケットにポリエステルパイプチップの充填材を詰め開口部を閉じて、枕の頭部載置部分を作る。尚中央部のポケットは頭部高さや当たり具合の調整用とし当初は何も充填しない。【００２４】その下部即ち肩側に別途作成した首部を載置する横１辺にファスナーをつけ開口部を設け、ポリエステル綿を詰め開口部を閉じて枕の首部を載置部分を作り、先の枕の頭部を載置部分の下方に縫い合わせて、仰臥用枕を完成する。【００２５】  図１に示す凹字形枕は４つの充填箇所を持ち３つの充填口を１個のファスナーを開閉して充填材の出し入れをし、下部の頚椎を乗せる部分には別途作成した袋を設置したものでそれぞれに充填材及び充填量を変えられるようにする。
【実施例１】
【００２６】  横２１０ｍｍ縦４００ｍｍの厚めの布を使用し縦４００ｍｍを折り２００ｍｍにして縦２辺を綴じた袋に横中央部に略３等分する図１−１ｘ、１ｙに示す２本の縫込みを施し、上部の３つの充填口に１個のファスナーをつけた３箇所のポケットを作り、両側の図１−１１に示すポケットにはポリエステルパイプチップを詰め、後頭部載置部分とした。【００２７】下部中央部の図１−１３に示す首部を乗せる部分は、側面にファスナーをつけた布袋にポリエステル綿を詰め、先の後頭部載置部分に縫い合わせ、仰臥用枕とした。
【実施例２】
【００２８】  横２４０ｍｍ縦５６０ｍｍの敷布団地の布を使用し縦５６０ｍｍを折り２８０ｍｍにして縦２辺を綴じて図２−２０に示す袋にＵ字形に２ｘに示す縫込みを施し、上部の３つの充填口に１個のファスナーをつけた３箇所のポケットを作り、両側の図２−２１に示すポケットにはポリエステルパイプチップを詰め中央の図２−２２に示すポケットには何も詰めず、Ｕ形枕を作成した。尚頚椎載置部分は図２−２１に示すポケットの１部として包含されていて充填材の充填量が少なくなるように幅を調整した。
【図１】
0003196292.tif 000003
【図２】
0003196292.tif 000004
【図３】
0003196292.tif 000005
【手続補正書】
【提出日】平成26年12月1日(2014.12.1)
【手続補正１】
【補正対象書類名】実用新案登録請求の範囲
【補正対象項目名】全文
【補正方法】変更
【補正の内容】
【実用新案登録請求の範囲】
【請求項１】
上辺を開けてファスナーで開閉する充填口とした４角形の袋の中央部分にＵ字形の縫込みを入れ、２つのポケットを作りＵ字の外側ポケットにはＵ字の内側ポケットより高くなるように充填材を詰め、Ｕ字の内側ポケットにはＵ字の外側ポケットより低くなるようにした枕。
【請求項２】
上辺を開けてファスナーで開閉する充填口とした４角形の袋の中央部分に縦に２本の縫込みを入れ３つのポケットを作り、両側２つのポケットには補助的に後頭部側面を支えるように充填材を詰め、中央部には両側ポケットより低くなるようした頭部載置用袋と、別途作成した側面にてファスナーで開閉する充填口を設け、充填材を詰めた頚椎載置用袋とを上下に結合した枕。